(57)【要約】【課題】画像読取手段と、画像形成手段を備える画像形成装置本体と、操作パネルとを、合理的に配置して、装置の小型化および省スペース化と、操作性の向上とを図ることのできる、画像形成装置を提供すること。【解決手段】原稿４０に記載された画像を読み取るためのスキャナ部２と、スキャナ部２によって読み取った画像情報に基づいて用紙４に画像を形成可能な画像形成部６を備えるプリンタ本体１とを備える複合機Ｆにおいて、スキャナ部２をプリンタ本体１における前側に配置して、そのスキャナ部２を覆うスキャナカバー部５３に操作パネル７３を一体的に設ける。これによって、装置の小型化および設置面積の省スペース化を図り、かつ、スキャナ部２に対して給紙または排紙される原稿４０の取り扱いと操作パネル７３の操作とを近くでできるので、操作性の向上を図ることができる。【選択図】    図２
2004347720.tif 000002
【特許請求の範囲】
【請求項１】
原稿に記載された画像を読み取るための画像読取手段と、
前記画像読取手段によって読み取った画像情報に基づいて、記録媒体に画像を形成可能な画像形成手段を備える画像形成装置本体と、
前記画像読取手段および前記画像形成装置手段を使用者が操作するための操作パネルとを備える画像形成装置において、
前記画像読取手段および前記操作パネルが、前記画像形成装置本体における前側に配置され、
前記操作パネルが一体的に設けられ、前記画像読取手段を覆うカバー部材を備えていることを特徴とする、画像形成装置。
【請求項２】
前記画像読取手段および前記操作パネルは、前記画像形成装置本体を設置場所に対して投影し、その投影面積を前後方向に前方部分と後方部分とに２等分した場合の前方部分に配置されており、
前記画像読取手段の後側において、水平方向に対して傾斜状に設けられ、前記画像読取手段に供給される原稿を受ける原稿供給トレイを備えていることを特徴とする、請求項１に記載の画像形成装置。
【請求項３】
前記画像形成装置本体は、記録媒体を後方から前方に向けて排出する記録媒体排出手段を備えており、
前記記録媒体排出手段は、排出された記録媒体の後端が前記画像読取手段の後端より後側となり、排出された記録媒体の前端が前記画像読取手段の前端より前側となるように、記録媒体を排出することを特徴とする、請求項１または２に記載の画像形成装置。
【請求項４】
前記画像形成手段は、
記録媒体が前方から後方へ搬送されているときに、記録媒体に画像を形成することを特徴とする、請求項３に記載の画像形成装置。
【請求項５】
前記画像形成装置本体は、前記画像形成手段の下方に配置され、記録媒体を収容し、前記画像形成手段に記録媒体を供給するための記録媒体供給手段を備えていることを特徴とする、請求項１ないし４のいずれかに記載の画像形成装置。
【請求項６】
前記画像読取手段の後側に設けられ、原稿を供給するための原稿供給部と、前記画像読取手段の後側であって、前記原稿供給部の下方に設けられ、原稿を排出するための原稿排出部とを備えていることを特徴とする、請求項１ないし５のいずれかに記載の画像形成装置。
【請求項７】
前記原稿排出部から排出された原稿を受ける原稿排出トレイを備え、前記原稿排出トレイにおける原稿の取り出し方向の一側端部には、原稿を上下方向から把持可能とする凹部が設けられていることを特徴とする、請求項６に記載の画像形成装置。
【請求項８】
前記画像読取手段の後側に設けられ、原稿を供給するための原稿供給部と、前記画像読取手段の前側に設けられ、原稿を排出するための原稿排出部とを備えていることを特徴とする、請求項３ないし５のいずれかに記載の画像形成装置。
【請求項９】
前記操作パネルに対して開閉自在に前記カバー部材に設けられ、前記画像読取手段から排出される原稿を受ける原稿排出トレイを備え、
前記原稿排出トレイは、開状態において、原稿を受け、閉状態において、原稿を前方に排出可能かつ前記操作パネルの操作可能に構成されていることを特徴とする、請求項８に記載の画像形成装置。
【請求項１０】
前記原稿排出トレイは、衝撃が与えられたときに、前記カバー部材から脱離するように設けられていることを特徴とする、請求項９に記載の画像形成装置。
【請求項１１】
前記画像形成手段は、電子写真方式により画像を形成するための現像装置を備え、
前記現像装置が、画像形成装置本体における前方から着脱自在に設けられていることを特徴とする、請求項１ないし１０のいずれかに記載の画像形成装置。
【請求項１２】
原稿に記載された画像を読み取るための画像読取手段と、
前記画像読取手段によって読み取った画像情報に基づいて、記録媒体に画像を形成可能な画像形成手段を備える画像形成装置本体とを備える画像形成装置において、
前記画像読取手段に供給される原稿を受ける原稿供給トレイと、
前記画像読取手段から排出される原稿を受ける原稿排出トレイと、
前記画像形成手段に供給される記録媒体を受ける記録媒体供給トレイと、
前記画像形成手段から排出される記録媒体を受ける記録媒体排出トレイとを備え、
前記原稿供給トレイ、前記原稿排出トレイ、前記記録媒体排出トレイ、前記画像形成手段および前記記録媒体供給トレイが、鉛直方向に重なって配置されていることを特徴とする、画像形成装置。
【請求項１３】
前記記録媒体排出トレイの下方に前記画像形成手段が配置され、前記画像形成手段の下方に前記記録媒体供給トレイが配置されていることを特徴とする、請求項１２に記載の画像形成装置。
【請求項１４】
前記記録媒体供給トレイは、前記画像形成装置本体に対して着脱自在に設けられており、
前記画像読取手段における原稿の搬送方向と、前記画像形成手段における記録媒体の搬送方向と、前記記録媒体供給トレイの着脱方向とが、ほぼ同一方向であることを特徴とする、請求項１２または１３に記載の画像形成装置。
【請求項１５】
前記画像読取手段は、前記原稿供給トレイから供給された原稿を読み取り、表裏反転させて前記原稿排出トレイへ排出することを特徴とする、請求項１２ないし１４のいずれかに記載の画像形成装置。
【請求項１６】
前記画像読取手段は、前記画像形成装置本体における前側に配置され、
前記画像読取手段の後側に、前記原稿供給トレイが設けられ、
前記原稿供給トレイの下方に、前記原稿排出トレイが設けられていることを特徴とする、請求項１２ないし１５のいずれかに記載の画像形成装置。
【請求項１７】
前記原稿排出トレイの下方に、前記記録媒体排出トレイが設けられていることを特徴とする、請求項１２ないし１６のいずれかに記載の画像形成装置。
【発明の詳細な説明】
【０００１】
【発明の属する技術分野】
本発明は、画像読取手段を備える画像形成装置に関する。
【０００２】
【従来の技術】
従来より、ファクシミリや複写機などにおいて、画像形成装置本体の上部に、原稿に記載された画像を読み取るための画像読取手段が搭載されているものが知られている。
【０００３】
この種の画像形成装置として、たとえば、特許第３２０５７３４号公報（特許文献１）では、図５が参照されるように、画像形成装置の本体１５１と、その本体の上部に配設されるＡＤＦ（オートドキュメントフィーダ）装置１５２とを備える画像形成装置１５０が提案されている。
【０００４】
この画像形成装置１５０では、本体１５１の上部前側に、操作パネル１５３が設けられ、本体１５１の上部後側に、ＡＤＦ装置１５２が設けられている。
【０００５】
【特許文献１】
特許第３２０５７３４号公報
【発明が解決しようとする課題】
しかし、特許第３２０５７３４号公報（特許文献１）に記載される画像形成装置１５０では、本体１５１の上部において、操作パネル１５３が前側に配置され、ＡＤＦ装置１５２が後側に配置されているので、装置が大型となり、広い設置面積が必要となる。
【０００６】
また、この種の画像形成装置にあっては、画像形成装置本体における用紙の給紙方向および排紙方向、画像読取手段における原稿の給紙方向および排紙方向、さらには、これらを操作するための操作パネルの配置などを、合理的に選択しないと、装置全体としての操作が非常に煩雑となる。
【０００７】
たとえば、図５に示す画像形成装置においては、ＡＤＦ装置１５２に給紙する原稿が、操作パネル１５３にかかって操作を妨害することが考えられる。また、原稿が操作パネル１５３にかからないように構成すると、設置面積を広くする必要が生じる。
【０００８】
本発明は、このような事情に鑑みなされたもので、その目的とするところは、画像読取手段と、画像形成手段を備える画像形成装置本体と、操作パネルとを、合理的に配置して、装置の小型化および省スペース化と、操作性の向上とを図ることのできる、画像形成装置を提供することにある。
【０００９】
【課題を解決するための手段】
上記目的を達成するため、請求項１に記載の発明は、原稿に記載された画像を読み取るための画像読取手段と、前記画像読取手段によって読み取った画像情報に基づいて、記録媒体に画像を形成可能な画像形成手段を備える画像形成装置本体と、前記画像読取手段および前記画像形成装置手段を使用者が操作するための操作パネルとを備える画像形成装置において、前記画像読取手段および前記操作パネルが、前記画像形成装置本体における前側に配置され、前記操作パネルが一体的に設けられ、前記画像読取手段を覆うカバー部材を備えていることを特徴としている。
【００１０】
このような構成によると、画像読取手段および操作パネルがともに画像形成装置本体の前側に配置され、かつ、その画像読取手段を覆うカバー部材に操作パネルが一体的に設けられているので、装置の小型化および設置面積の省スペース化を図ることができる。また、画像読取手段に対して給紙または排紙される原稿の取り扱いと操作パネルの操作とを近くですることができるので、操作性の向上を図ることができる。
【００１１】
また、請求項２に記載の発明は、請求項１に記載の発明において、前記画像読取手段および前記操作パネルは、前記画像形成装置本体を設置場所に対して投影し、その投影面積を前後方向に前方部分と後方部分とに２等分した場合の前方部分に配置されており、前記画像読取手段の後側において、水平方向に対して傾斜状に設けられ、前記画像読取手段に供給される原稿を受ける原稿供給トレイを備えていることを特徴としている。
【００１２】
このような構成によると、画像読取手段および操作パネルが、画像形成装置本体の前方部分に配置され、かつ、原稿供給トレイが画像読取手段の後側において水平方向に対して傾斜状に設けられているので、原稿供給トレイが画像形成装置本体よりも後方に突出することを有効に低減することができる。そのため、原稿供給トレイが画像形成装置本体の周りの通行を阻害することを防止でき、また、画像形成装置本体の周りを通行する人が原稿供給トレイを引っ掛けて落下させることを防止することができる。
【００１３】
また、請求項３に記載の発明は、請求項１または２に記載の発明において、前記画像形成装置本体は、記録媒体を後方から前方に向けて排出する記録媒体排出手段を備えており、前記記録媒体排出手段は、排出された記録媒体の後端が前記画像読取手段の後端より後側となり、排出された記録媒体の前端が前記画像読取手段の前端より前側となるように、記録媒体を排出することを特徴としている。
【００１４】
このような構成によると、記録媒体排出手段が、記録媒体の前端が画像読取手段の前端より前側となるように記録媒体を排出するので、画像読取手段が邪魔になることなく排出された記録媒体を取り出すことができる。また、記録媒体排出手段は、記録媒体の後端が画像読取手段の後端より後側となるように記録媒体を排出するので、排出された記録媒体が画像読取手段より必要以上に前側に突出することがなく、画像形成装置本体の周りを通行する人が、記録媒体を引っ掛けて落下させることを防止することができる。
【００１５】
また、請求項４に記載の発明は、請求項３に記載の発明において、前記画像形成手段は、記録媒体が前方から後方へ搬送されているときに、記録媒体に画像を形成することを特徴としている。
【００１６】
このような構成によると、記録媒体が前方から後方へ搬送されているときに、記録媒体に画像を形成するので、次いで、反転させて、記録媒体排出手段によって後方から前方に記録媒体を排出することができる。そのため、記録媒体排出手段より後方には、記録媒体を反転させるための用紙搬送経路だけ設ければよいため、省スペース化が可能となり、画像形成装置本体の設置場所に対する投影面内において、記録媒体を排出することができ、設置面積の省スペース化を図ることができる。
【００１７】
請求項５に記載の発明は、請求項１ないし４のいずれかに記載の発明において、前記画像形成装置本体は、前記画像形成手段の下方に配置され、記録媒体を収容し、前記画像形成手段に記録媒体を供給するための記録媒体供給手段を備えていることを特徴としている。
【００１８】
このような構成によると、記録媒体供給手段が画像形成手段の下方に配置されているので、画像形成装置本体の設置場所に対する投影面内において、記録媒体供給手段を配置することができ、設置面積の省スペース化を図ることができる。
【００１９】
また、請求項６に記載の発明は、請求項１ないし５のいずれかに記載の発明において、前記画像読取手段の後側に設けられ、原稿を供給するための原稿供給部と、前記画像読取手段の後側であって、前記原稿供給部の下方に設けられ、原稿を排出するための原稿排出部とを備えていることを特徴としている。
【００２０】
このような構成によると、原稿は、後方から前方に向かって原稿供給部から供給され、画像読取手段によって読み取られ、原稿排出部から、前方から後方に向かって排出される。そのため、原稿を、画像形成装置本体から突出させることなく読み取らすことができるので、画像形成装置本体の周りを通行する人が、原稿を引っ掛けて落下させることを防止することができる。
【００２１】
また、請求項７に記載の発明は、請求項６に記載の発明において、前記原稿排出部から排出された原稿を受ける原稿排出トレイを備え、前記原稿排出トレイにおける原稿の取り出し方向の一側端部には、原稿を上下方向から把持可能とする凹部が設けられていることを特徴としている。
【００２２】
このような構成によると、原稿排出トレイに排出された原稿を、凹部から上下方向に把持して取り出すことができる。そのため、原稿を容易に取り出すことができ、操作性の向上を図ることができる。
【００２３】
また、請求項８に記載の発明は、請求項３ないし５のいずれかに記載の発明において、前記画像読取手段の後側に設けられ、原稿を供給するための原稿供給部と、前記画像読取手段の前側に設けられ、原稿を排出するための原稿排出部とを備えていることを特徴としている。
【００２４】
このような構成によると、原稿は、後方から前方に向かって原稿供給部から供給され、画像読取手段によって読み取られ、そのまま、後方から前方に向かって原稿排出部から排出される。そのため、原稿を、ほぼストレートパスで読み取って排出することができ、操作パネルのアクセス方向と同方向から取り出すことができる。そのため、原稿の取り出しを容易とすることができ、操作性の向上を図ることができる。
【００２５】
また、請求項９に記載の発明は、請求項８に記載の発明において、前記操作パネルに対して開閉自在に前記カバー部材に設けられ、前記画像読取手段から排出される原稿を受ける原稿排出トレイを備え、前記原稿排出トレイは、開状態において、原稿を受け、閉状態において、原稿を前方に排出可能かつ前記操作パネルの操作可能に構成されていることを特徴としている。
【００２６】
このような構成によると、画像読取手段から排出される原稿を受ける必要のないときは、原稿排出トレイを閉状態としておけば、その原稿排出トレイが画像形成装置本体から突出せず、画像形成装置本体の周りを通行する人が、原稿排出トレイを引っ掛けて落下させることを防止することができる。しかも、原稿排出トレイは、閉状態であっても、操作パネルは操作可能であり、また、原稿を前方に排出することができるので、数枚程度の原稿ならば、直接手で受けとることによって、閉状態のまま、原稿の読み取りが可能である。一方、画像読取手段から排出される原稿を受ける必要があるときには、原稿排出トレイを開状態とすれば、画像読取手段から排出された原稿を、原稿排出トレイによって受けることができる。そのため、操作性の向上を図りつつ、画像読取手段から排出された原稿を受けることができる。
【００２７】
また、請求項１０に記載の発明は、請求項９に記載の発明において、前記原稿排出トレイは、衝撃が与えられたときに、前記カバー部材から脱離するように設けられていることを特徴としている。
【００２８】
このような構成によると、原稿排出トレイに衝撃が与えられたときには、その原稿排出トレイがカバー部材から脱離するので、カバー部材や画像形成装置本体の損傷を防止することができる。
【００２９】
また、請求項１１に記載の発明は、請求項１ないし１０のいずれかに記載の発明において、前記画像形成手段は、電子写真方式により画像を形成するための現像装置を備え、前記現像装置が、画像形成装置本体における前方から着脱自在に設けられていることを特徴としている。
【００３０】
このような構成によると、現像装置を、操作パネルのアクセス方向と同方向から着脱させることができる。そのため、操作性の向上を図ることができる。
【００３１】
また、請求項１２に記載の発明は、原稿に記載された画像を読み取るための画像読取手段と、前記画像読取手段によって読み取った画像情報に基づいて、記録媒体に画像を形成可能な画像形成手段を備える画像形成装置本体とを備える画像形成装置において、前記画像読取手段に供給される原稿を受ける原稿供給トレイと、前記画像読取手段から排出される原稿を受ける原稿排出トレイと、前記画像形成手段に供給される記録媒体を受ける記録媒体供給トレイと、前記画像形成手段から排出される記録媒体を受ける記録媒体排出トレイとを備え、前記原稿供給トレイ、前記原稿排出トレイ、前記記録媒体排出トレイ、前記画像形成手段および前記記録媒体供給トレイが、鉛直方向に重なって配置されていることを特徴としている。
【００３２】
このような構成によると、原稿供給トレイ、原稿排出トレイ、記録媒体排出トレイ、画像形成手段および記録媒体供給トレイが、すべて鉛直方向に重なって配置されているので、画像読取手段を備える画像形成装置でありながら、設置面積に対して投影しても、これらをはみ出させることなく配置することができ、装置の小型化および設置面積の省スペース化を図ることができる。
【００３３】
請求項１３に記載の発明は、請求項１２に記載の発明において、前記記録媒体排出トレイの下方に前記画像形成手段が配置され、前記画像形成手段の下方に前記記録媒体供給トレイが配置されていることを特徴としている。
【００３４】
このような構成によると、記録媒体排出トレイの下方に画像形成手段が配置され、画像形成手段の下方に記録媒体供給トレイが配置されているので、画像形成装置本体の小型化および設置面積の省スペース化を図ることができる。
【００３５】
また、請求項１４に記載の発明は、請求項１２または１３に記載の発明において、前記記録媒体供給トレイは、前記画像形成装置本体に対して着脱自在に設けられており、前記画像読取手段における原稿の搬送方向と、前記画像形成手段における記録媒体の搬送方向と、前記記録媒体供給トレイの着脱方向とが、ほぼ同一方向であることを特徴としている。
【００３６】
このような構成によると、画像読取手段における原稿の搬送方向と、画像形成手段における記録媒体の搬送方向と、記録媒体供給トレイの着脱方向とが、ほぼ同一方向であるので、原稿、記録媒体および記録媒体供給トレイに対するアクセスをほぼ同一方向からすることができる。そのため、操作性の向上を図ることができる。
【００３７】
また、請求項１５に記載の発明は、請求項１２ないし１４のいずれかに記載の発明において、前記画像読取手段は、前記原稿供給トレイから供給された原稿を読み取り、表裏反転させて前記原稿排出トレイへ排出することを特徴としている。
【００３８】
このような構成によると、画像読取手段は、原稿供給トレイから供給された原稿を読み取り、表裏反転させて前記原稿排出トレイへ排出するので、原稿を、画像形成装置本体から突出させることなく読み取ることができる。そのため、画像形成装置本体の周りを通行する人が、原稿を引っ掛けて落下させることを防止することができる。
【００３９】
また、請求項１６に記載の発明は、請求項１２ないし１５のいずれかに記載の発明において、前記画像読取手段は、前記画像形成装置本体における前側に配置され、前記画像読取手段の後側に、前記原稿供給トレイが設けられ、前記原稿供給トレイの下方に、前記原稿排出トレイが設けられていることを特徴としている。
【００４０】
このような構成によると、原稿供給トレイに受けられている原稿は、後方から前方に向かって画像読取手段に供給され、画像読取手段によって読み取られ、反転され、原稿供給トレイの下方の原稿排出トレイに受けられる。そのため、原稿を、画像形成装置本体から突出させることなく読み取ることができるので、画像形成装置本体の周りを通行する人が、原稿を引っ掛けて落下させることを防止することができる。
【００４１】
また、請求項１７に記載の発明は、請求項１２ないし１６のいずれかに記載の発明において、前記原稿排出トレイの下方に、前記記録媒体排出トレイが設けられていることを特徴としている。
【００４２】
このような構成によると、原稿排出トレイの下方に記録媒体排出トレイが設けられているので、原稿および記録媒体の両方に対するアクセスが容易となり、操作性の向上を図ることができる。
【００４３】
【発明の実施の形態】
図１は、本発明の画像形成装置としての一実施形態である複合機を示す斜視図、図２は、図１に示す複合機の要部断面図である。
【００４４】
図１および図２において、この複合機Ｆは、画像形成装置本体としてのプリンタ本体１と、画像読取手段としてのスキャナ部２とを備えており、プリント機能、コピー機能、ファクシミリ機能、ネットワーク通信機能などを備えている。
【００４５】
なお、以下の説明において、操作パネル７３が設けられる側を前側、その反対側を後側とする。
【００４６】
図１において、この複合機Ｆは、上方が開放される有底ボックス状の本体側ケーシング３と、その本体側ケーシング３の上方に組み付けられるスキャナ側ケーシング５１とを備えている。
【００４７】
図２において、プリンタ本体１は、電子写真方式のレーザプリンタとして構成されており、本体側ケーシング３内に、記録媒体としての用紙４を給紙するための給紙部５、給紙された用紙４に画像を形成するための画像形成手段としての画像形成部６、画像が形成された用紙４を排紙するための排紙部７を備えている。
【００４８】
給紙部５は、記録媒体供給手段および記録媒体供給トレイとしての給紙カセット８と、給紙カセット８の前側端部の上方に設けられる給紙ローラ９と、給紙ローラ９から給紙された用紙４を反転させて後側に搬送するための給紙パス１０と、給紙パス１０に臨むレジストローラ１１とを備えている。
【００４９】
給紙カセット８は、上方が開口したボックス状に形成されており、本体側ケーシング３内における画像形成部６の下方において、プリンタ本体１の本体側ケーシング３に対して、前側から前後方向に着脱可能に装着されている。この給紙カセット８内には、用紙押圧板１２が設けられている。
【００５０】
用紙押圧板１２は、用紙４を積層状にスタック可能とされ、給紙ローラ９に対して遠い方の端部において揺動可能に支持されることによって、近い方の端部が上下方向に移動可能とされている。この用紙押圧板１２は、用紙４の積層量が増えるに従って、給紙ローラ９に対して遠い方の端部を支点として、図示しないばねの付勢力に抗して下向きに揺動される。
【００５１】
そして、用紙押圧板１２上の最上位にある用紙４は、用紙押圧板１２の裏側からばねによって給紙ローラ９に向かって押圧され、給紙ローラ９が回転されることにより、その用紙４が１枚毎に分離されながら、給紙パス１０に向かって給紙される。
【００５２】
給紙された用紙４は、給紙パス１０内において後側に向かって反転され、レジストローラ１１に送られる。レジストローラ１１は、１対のローラからなり、用紙４をレジスト後に、画像形成位置（感光ドラム２２と転写ローラ２４との接触位置）に搬送する。
【００５３】
画像形成部６は、レーザ走査部１３、プロセス部１４および定着部１５を備えている。
【００５４】
レーザ走査部１３は、本体側ケーシング３内の上部に設けられ、レーザ発光部（図示せず。）、回転駆動されるポリゴンミラー１６、レンズ１７および１８、反射鏡１９を備えている。このレーザ走査部１３では、レーザ発光部から発光される画像データに基づくレーザビームを、矢印で示すように、ポリゴンミラー１６、レンズ１７および１８、反射鏡１９の順に通過あるいは反射させて、プロセス部１４の感光ドラム２２の表面上に高速走査にて照射させる。
【００５５】
プロセス部１４は、レーザ走査部１３の下方に配設され、本体側ケーシング３に対して着脱自在に装着されるドラムカートリッジ２０内に、現像装置としての現像カートリッジ２１、感光ドラム２２、スコロトロン型帯電器２３を備えており、さらに、本体側ケーシング３に固定され、ドラムカートリッジ２０の装着時に感光ドラム２２に圧接するように転写ローラ２４を備えている。
【００５６】
現像カートリッジ２１は、ドラムカートリッジ２０に対して着脱自在に装着されており、現像ローラ２５、層厚規制ブレード２６、供給ローラ２７、トナーホッパ２８などを備えている。
【００５７】
なお、現像カートリッジ２１は、ドラムカートリッジ２０と一体にして、本体側ケーシング３の前面に設けられるフロントカバー２９を開閉することによって、本体側ケーシング３に対して前方から着脱可能とされている。
【００５８】
すなわち、本体側ケーシング３の前壁には、その下端部がヒンジを介して揺動自在に支持されるフロントカバー２９が設けられている。このフロントカバー２９は、ヒンジを支点として揺動され、本体側ケーシング３に対して開閉自在とされている。そして、ドラムカートリッジ２０は、このフロントカバー２９を開状態として、前後方向において、本体側ケーシング３に対して前方から着脱される。
【００５９】
トナーホッパ２８内には、現像剤として、正帯電性の非磁性１成分のトナーが充填されている。このトナーとしては、重合性単量体、たとえば、スチレンなどのスチレン系単量体や、アクリル酸、アルキル（Ｃ１〜Ｃ４）アクリレート、アルキル（Ｃ１〜Ｃ４）メタアクリレートなどのアクリル系単量体を、懸濁重合などの公知の重合方法によって共重合させることにより得られる重合トナーが使用されている。このような重合トナーは、略球状をなし、流動性が極めて良好であり、高画質の画像形成を達成することができる。
【００６０】
なお、このようなトナーには、カーボンブラックなどの着色剤やワックスなどが配合されるとともに、流動性を向上させるために、シリカなどの外添剤が添加されている。その粒子径は、約６〜１０μｍ程度である。
【００６１】
そして、トナーホッパ２８内のトナーは、トナーホッパ２８の中心に設けられるアジテータ３０の矢印方向（時計方向）への回転により攪拌されて、トナーホッパ２８の側部に開口されたトナー供給口３１から放出される。
【００６２】
トナー供給口３１の側方位置には、供給ローラ２７が回転可能に配設されており、また、この供給ローラ２７に対向して、現像ローラ２５が回転可能に配設されている。そして、これら供給ローラ２７と現像ローラ２５とは、そのそれぞれがある程度圧縮するような状態で互いに当接されている。
【００６３】
供給ローラ２７は、金属製のローラ軸に、導電性の発泡材料からなるローラが被覆されており、矢印方向（反時計方向）に回転駆動される。
【００６４】
また、現像ローラ２５は、金属製のローラ軸に、導電性のゴム材料からなるローラが被覆されており、矢印方向（反時計方向）に回転駆動される。より具体的には、現像ローラ２５のローラは、カーボン微粒子などを含む導電性のウレタンゴムまたはシリコーンゴムからなるローラ本体の表面に、フッ素が含有されているウレタンゴムまたはシリコーンゴムのコート層が被覆されている。なお、現像ローラ２５には、現像バイアスが印加されるように構成されている。
【００６５】
また、現像ローラ２５の近傍には、層厚規制ブレード２６が配設されている。この層厚規制ブレード２６は、金属の板ばね材からなるブレード本体の先端部に、絶縁性のシリコーンゴムからなる断面半円形状の押圧部を備えており、現像ローラ２５の近くにおいて現像カートリッジ２１に支持されて、押圧部がブレード本体の弾性力によって現像ローラ２５上に圧接されるように構成されている。
【００６６】
そして、トナー供給口３１から放出されるトナーは、供給ローラ２７の回転により、現像ローラ２５に供給され、この時、供給ローラ２７と現像ローラ２５との間で正に摩擦帯電され、さらに、現像ローラ２５上に供給されたトナーは、現像ローラ２５の回転に伴って、層厚規制ブレード２６の押圧部と現像ローラ２５との間に進入し、一定厚さの薄層として現像ローラ２５上に担持される。
【００６７】
感光ドラム２２は、現像ローラ２５の側方位置において、その現像ローラ２５と対向するような状態で、ドラムカートリッジ２０において、矢印方向（時計方向）に回転可能に支持されている。この感光ドラム２２は、ドラム本体が接地され、その表面がポリカーボネートなどから構成される正帯電性の感光層により形成されている。
【００６８】
スコロトロン型帯電器２３は、感光ドラム２２の側方に、感光ドラム２２に接触しないように、所定間隔を隔てて対向配置されている。このスコロトロン型帯電器２３は、タングステンなどの帯電用ワイヤからコロナ放電を発生させる正帯電用のスコロトロン型の帯電器であり、感光ドラム２２の表面を一様に正極性に帯電させるように構成されている。
【００６９】
転写ローラ２４は、感光ドラム２２の下方において、この感光ドラム２２に対向配置され、本体ケーシング３に矢印方向（反時計方向）に回転可能に支持されている。この転写ローラ２４は、金属製のローラ軸に、導電性のゴム材料からなるローラが被覆されており、転写時には、転写バイアスが印加されるように構成されている。
【００７０】
そして、感光ドラム２２の表面は、感光ドラム２２の回転に伴なって、まず、スコロトロン型帯電器２３によって一様に正極性に帯電された後、次いで、レーザ走査部１３からのレーザビームにより露光されて静電潜像が形成され、その後、現像ローラ２５と対向した時に、現像ローラ２５に印加される現像バイアスにより、現像ローラ２５上に担持されかつ正帯電されているトナーが、感光ドラム２２に対向して接触する時に、感光ドラム２２の表面上に形成される静電潜像、すなわち、一様に正帯電されている感光ドラム２２の表面のうち、レーザビームによって露光され電位が下がっている露光部分に供給され、選択的に担持されることによってトナー像が形成され、これによって反転現像が達成される。
【００７１】
そして、感光ドラム２２の表面上に担持されたトナー像は、レジストローラ１１により前方から後方へ搬送される用紙４が、感光ドラム２２と転写ローラ２４との間を通る間に、転写ローラ２４に印加される転写バイアスによって、用紙４に転写される。
【００７２】
定着部１５は、プロセス部１４の側方であって、用紙４の搬送方向下流側に配設され、加熱ローラ３２、加熱ローラ３２を押圧する押圧ローラ３３、および、これら加熱ローラ３２および押圧ローラ３３の下流側に設けられる１対の搬送ローラ３４を備えている。
【００７３】
加熱ローラ３２は、金属筒状をなし、ハロゲンランプからなるヒータを内装しており、そのヒータによって加熱されるように構成されている。
【００７４】
また、押圧ローラ３３は、この加熱ローラ３２を押圧した状態で、この加熱ローラ３２に従動して回転される。
【００７５】
そして、定着部１５では、プロセス部１４において用紙４上に転写されたトナーを、用紙４が加熱ローラ３２と押圧ローラ３３との間を通過する間に熱定着させ、その後、その用紙４を搬送ローラ３４によって、排紙部７の排紙パス３５に搬送する。
【００７６】
排紙部７は、排紙パス３５と、記録媒体排出手段としての排紙ローラ３６とを備えている。
【００７７】
排紙パス３５は、搬送ローラ３４から、その搬送ローラ３４の上方に配置される排紙ローラ３６に至る上下方向に延びる経路として構成されている。
【００７８】
排紙ローラ３６は、１対のローラとして構成されており、本体側ケーシング３より上方であって、次に述べるスキャナ側ケーシング５１に設けられる排紙口カバー部５６内に配置されている。
【００７９】
そして、定着部１５の搬送ローラ３４から排紙パス３５に搬送された用紙４は、再度反転され、排紙ローラ３６によって、次に述べるスキャナ側ケーシング５１に設けられる用紙排紙トレイ５８上に、次に述べる用紙排出口５６ａを介して、後方から前方に向かって、画像形成面が下向きとなるように排紙される。
【００８０】
スキャナ側ケーシング５１は、図１に示すように、排紙カバー部５２と、カバー部材としてのスキャナカバー部５３とを一体的に備えている。
【００８１】
排紙カバー部５２は、図２に示すように、下側カバー５４と、上側カバー５５と、用紙４を排紙するための略矩形ボックス状の排紙口カバー５６と、排出された用紙４を挟んで設けられるサイドカバー５７（図１参照）とを一体的に備えている。
【００８２】
より具体的には、排紙口カバー５６は、本体側ケーシング３の上方後部において、本体側ケーシング３の幅方向（前後方向と直交する方向、以下同じ。）に沿って略矩形枠状に設けられている。この排紙口カバー５６は、下側が本体側ケーシング３と連続するように開放されており、排紙口カバー５６内には、上記したように排紙ローラ３６が収容されている。また、排紙ローラ３６と対向する前壁には、用紙４を排出するための用紙排出口５６ａが設けられている。
【００８３】
また、排紙口カバー５６の前側下端部には、下側カバー５４が連続して設けられている。すなわち、下側カバー５４は、その後端部が排紙口カバー部５６の前壁の下端部に連続し、その前端部が本体側ケーシング３の前端部まで延びるように形成されている。この下側カバー５４は、図１に示すように、その上面が用紙３を受けるための平坦状の記録媒体排出トレイとしての用紙排紙トレイ５８とされ、用紙排紙トレイ５８の周縁部が下方に向かって屈曲形成され、本体側ケーシング３に組み付けるための脚部５９とされている。
【００８４】
また、用紙排紙トレイ５８における前端部には、排紙される用紙４を止める用紙ストッパ部材６０が設けられている。すなわち、用紙排紙トレイ５８には、その幅方向略中央部に、平面視略矩形状の凹部８３が形成されており、その凹部８３に用紙ストッパ部材６０が埋設されている。この用紙ストッパ部材６０は、図２に示すように、用紙４を受ける略矩形板状の用紙受け板６１と、用紙４の前方への突出を阻止する略矩形板状の用紙ストッパ板６２とを備えている。用紙受け板６１は、凹部８３の前端部においてヒンジを介して、用紙排紙トレイ５８に回動可能に支持されている。また、用紙ストッパ板６２は、用紙受け板６１における用紙排紙トレイ５８に回動可能に支持される反対側において、ヒンジを介して用紙受け板６１に回動可能（展開時には、用紙受け板６１に対して起立する位置で回動が制限される。）に支持されている。
【００８５】
これによって、用紙ストッパ部材６０は、用紙排紙トレイ５８の凹部８３に用紙受け板６１および用紙ストッパ板６２が重ね合わされて収容される収容状態（たとえば、図３に示す状態）と、その収容状態から、用紙受け板６１をヒンジを支点として前方の略水平方向に展開し、次いで、用紙ストッパ板６２をヒンジを支点として前方に展開して、用紙ストッパ板６２を用紙受け板６１の前端部において起立させる展開状態（たとえば、図２に示す状態）とに収容展開可能に設けられている。
【００８６】
なお、用紙ストッパ部材６０は、このように展開された状態において、用紙排紙トレイ５８の前端部およびスキャナカバー部５３の前端部よりも、用紙受け板６１が前方に突出した状態で、用紙ストッパ板６２が起立される状態となる。
【００８７】
そして、用紙ストッパ部材６０は、用紙３の排紙動作中は展開状態とされ、排紙ローラ３６によって排紙された用紙４は、その前端部が用紙受け板６１に受けられた状態で用紙排紙トレイ５８上に受けられる。これによって、排紙された用紙４は、その前端部が後述するスキャナカバー部５３の前端部よりも前側となり、その後端部がスキャナカバー部５３の後端部よりも後側となる状態で、用紙排紙トレイ５８上にスタックされる。
【００８８】
また、排紙口カバー部５６の上側には、上側カバー５５が連続して設けられている。すなわち、上側カバー５５は、その後端部が排紙口カバー部５６の上部後端部に連続し、その前端部が下側カバー５４の前端部と対向する位置まで延びるような板状に形成されている。これによって、上側カバー５５は、下側カバー５４の上側において、その下側カバー５４と鉛直方向において所定間隔を隔てて重なるように配置されている。
【００８９】
そして、この上側カバー５５において、プリンタ本体１を設置場所に対して投影し、その投影面積を前後方向に前方部分と後方部分とに２等分した場合の前方部分であって、上側カバー５５の前端部に、スキャナカバー部５３が設けられ、そのスキャナカバー部５３の後側の上側カバー５５の上面が、原稿排出トレイとしての原稿排紙トレイ７４とされている。
【００９０】
また、原稿排紙トレイ７４の後端部には、排紙される原稿４０を止める原稿ストッパ部材６３が設けられている。すなわち、原稿排紙トレイ７４には、その幅方向略中央部に、平面視略矩形状の凹部８４（図１参照）が形成されており、その凹部８４に原稿ストッパ部材６３が埋設されている。この原稿ストッパ部材６３は、原稿４０を受ける略矩形板状の原稿受け板６４と、原稿４０の後方への突出を阻止する略矩形板状の原稿ストッパ板６５とを備えている。原稿受け板６４は、凹部８４の後端部においてヒンジを介して、原稿排紙トレイ７４に回動可能に支持されている。また、原稿ストッパ板６５は、原稿受け板６４における原稿排紙トレイ７４に回動可能に支持される反対側において、ヒンジを介して原稿受け板６４に回動可能（展開時には、原稿受け板６４に対して起立する位置で回動が制限される。）に支持されている。
【００９１】
これによって、原稿ストッパ部材６３は、原稿排紙トレイ７４の凹部８４に原稿受け板６４および原稿ストッパ板６５が重ね合わされて収容される収容状態と、その収容状態から、原稿受け板６４をヒンジを支点として後方の略水平方向に展開し、次いで、原稿ストッパ板６５をヒンジを支点として後方に展開して、原稿ストッパ板６５を原稿排紙トレイ７４の後端部において起立させる展開状態（図２に示す状態）とに収容展開可能に設けられている。
【００９２】
なお、原稿ストッパ部材６３は、このように展開された状態において、原稿排紙トレイ７４の後端部よりも、原稿受け板６４が後方に突出した状態で、原稿ストッパ板６５が起立される状態となる。
【００９３】
また、サイドカバー５７は、図１に示すように、所定間隔を隔てて上下に配置される下側カバー５４と上側カバー５５との幅方向両端部を連結するように、それぞれ設けられている。また、各サイドカバー５７の前端部は、後方に向かって湾曲状に窪んでおり、用紙３の取り出しを容易にしている。
【００９４】
また、上側カバー５５の原稿排紙トレイ７４には、幅方向一側端部に、排紙された原稿４０を上下方向から把持可能とする凹部６６が設けられている。
【００９５】
この凹部６６は、原稿排紙トレイ７４の幅方向一側端部（通常、利き手側端部とされる。）において、原稿排紙トレイ７４とサイドカバー５７との連続する角が切り欠かれるように、原稿排紙トレイ７４の幅方向途中から幅方向端部に向かって徐々に広く深くなる窪みとして形成されている。
【００９６】
また、スキャナカバー部５３は、図２に示すように、上側カバー５５における原稿排紙トレイ７４の前側に設けられている。このスキャナカバー部５３は、前カバー部６７と、後カバー部６８と、側カバー部６９とを一体的に備えている。
【００９７】
前カバー部６７は、上側カバー５５の前端部から、略鉛直方向上方に延び、その後、後方に向かって湾曲状に屈曲し、斜め後方上方に向かって延びるように形成されている。
【００９８】
後カバー部６８は、原稿排紙トレイ７４の前端部から鉛直方向上方に延び、その後、前方に向かって円弧状に湾曲した後、反転して、斜め後方上方に向かって延びる前カバー部６７と平行状に延びるように形成されている。また、後カバー部６８における鉛直方向上方に延びる下部には、原稿４０を排紙するための原稿排出部としての原稿排紙口７１が幅方向に沿って開口されている。
【００９９】
また、側カバー部６９は、図１に示すように、前カバー部６７および後カバー部６８の幅方向両端部において、これらを連結するように、それぞれ設けられている。
【０１００】
なお、このスキャナカバー部５３では、原稿排紙口７１の上方において、前カバー部６７の上端部と、後カバー部６８の上端部と、側カバー部６９の上端部とで囲まれるスキャナカバー部５３の上端部の開口部が、原稿４０を供給するための原稿供給部としての原稿給紙口７２とされている。
【０１０１】
そして、このスキャナカバー部５３には、使用者が操作するための操作パネル７３と、スキャナ部２と、原稿供給トレイとしての原稿給紙トレイ７５とが設けられている。
【０１０２】
操作パネル７３は、図１に示すように、斜め後方上方に向かって延びる前カバー部６７に一体的に設けられている。この操作パネル７３は、この複合機Ｆ、すなわち、プリンタ本体１およびスキャナ部２を操作するための各種のボタンや液晶表示部などからなり、これらが整列状態で配置されている。
【０１０３】
また、スキャナ部２は、スキャナカバー部５３内に配置され、自動的に原稿４０を読み取るＡＤＦ（オート・ドキュメントフィーダ）装置として構成されている。このスキャナ部２は、原稿給紙ローラ７６と、給紙パッド７７と、原稿搬送パス７８と、第１搬送ローラ７９と、第２搬送ローラ８０と、ＣＣＤセンサ８１とを備えている。
【０１０４】
原稿給紙ローラ７６および給紙パッド７７は、互いに対向する状態で、スキャナカバー部５３内における前側に設けられている。また、原稿搬送パス７８は、その原稿給紙ローラ７６から原稿排紙口７１に至り、斜め前方下方に延びた後に反転して後方に向かって延びる略Ｕ字状の経路として構成されている。この原稿搬送パス７８において、その原稿搬送方向上流側端部に第１搬送ローラ７９が配置され、その原稿搬送方向下流側端部に第２搬送ローラ８０が配置され、その第１搬送ローラ７９と第２搬送ローラ８０との間にＣＣＤセンサ８１が配置されている。なお、第１搬送ローラ７９および第２搬送ローラ８０は、ともに、原稿４０を挟み込んで搬送する１対のローラから構成されている。
【０１０５】
また、原稿給紙トレイ７５は、給紙パッド７７の後側から、水平方向に対して後方斜め上方に向かって延び、原稿給紙口７２から突出して、さらに後方斜め上方に延びるように設けられている。
【０１０６】
そして、スキャナ部２の後側に設けられる原稿給紙口７２から原稿４０を挿入して、原稿給紙トレイ７５に原稿４０を受けさせた状態で、操作パネル７３の操作により原稿読取の開始を指示する。すると、まず、原稿給紙ローラ７６と給紙パッド７７との間に挟まれた原稿給紙トレイ７５上の原稿４０が、１枚ずつ第１搬送ローラ７９に送られる。次に、第１搬送ローラ７９が原稿４０を斜め前方下方に搬送する。そして、搬送された原稿４０は、原稿搬送パス７８内において反転し後方に向かって送られ、ＣＣＤ８１と対向したときに、その原稿４０に形成されている画像が、ＣＣＤ８１によって読み取られる。その後、原稿４０は、第２搬送ローラ８０によって、スキャナ部２の後側に設けられる原稿排紙口７１から、前方から後方に向かって原稿排紙トレイ７４上に排紙される。
【０１０７】
このようにして、この複合機Ｆでは、ＣＣＤ８１により読み取った画像情報に基づいて、画像形成部６において、用紙３に画像を形成することができるように構成されている。
【０１０８】
そして、この複合機Ｆでは、スキャナ部２および操作パネル７３がともにプリンタ本体１に対して前側に配置されており、かつ、そのスキャナ部２を被覆するスキャナカバー部５３の前カバー部６７に操作パネル７３が一体的に設けられているので、装置の小型化および設置面積の省スペース化を図ることができる。また、スキャナ部２に対して給紙または排紙される原稿４０の取り扱いと操作パネル７３の操作とを近くですることができるので、操作性の向上を図ることができる。
【０１０９】
また、この複合機Ｆでは、スキャナ部２および操作パネル７３が設けられるスキャナカバー部５３が、プリンタ本体１を設置場所に対して投影した投影面積の前方部分に配置され、かつ、原稿給紙トレイ７５がスキャナ部２の後側において水平方向に対して後方斜め上方に向かって延びるように設けられている。そのため、原稿給紙トレイ７５がプリンタ本体１よりも後方に突出していない。そのため、原稿給紙トレイ７５がプリンタ本体１の周りの通行を阻害することを防止でき、また、プリンタ本体１の周りを通行する人が原稿給紙トレイ７５を引っ掛けて落下させることを防止することができる。
【０１１０】
また、この複合機Ｆでは、排紙ローラ３６による用紙４の排紙によって、用紙４が、その前端部がスキャナカバー部５３の前端部よりも前側となる状態で用紙排紙トレイ５８上にスタックされる。そのため、スキャナカバー部５３が邪魔になることなく排紙された用紙４を取り出すことができる。また、排紙された用紙４は、その後端部がスキャナカバー部５３の後端部よりも後側となる状態で用紙排紙トレイ５８上にスタックされる。そのため、排出された用紙４がスキャナカバー部５３より必要以上に前側に突出することがなく、プリンタ本体１の周りを通行する人が、用紙４を引っ掛けて落下させることを防止することができる。
【０１１１】
また、この複合機Ｆでは、プリンタ本体１の画像形成部６において、感光ドラム２２の表面上に担持されたトナー像が、レジストローラ１１により前方から後方へ搬送される用紙４に転写されるので、定着後に、その用紙４を排紙パス３５において反転させて、排紙ローラ３６によって後方から前方に排出することができる。そのため、排紙ローラ３６より後方には、用紙３を反転させるための排紙パス３５だけ設ければよいため、省スペース化が可能となり、また、用紙４を反転させることにより、用紙４の排紙スペースをプリンタ本体１の設置場所に対する投影面内において確保して、用紙４を排紙することができるので、設置面積の省スペース化を図ることができる。また、このような排紙によれば、用紙４が、画像形成面が下向きの状態で排紙されるので、用紙排紙トレイ５８上には、下から上に印刷順に整列させて排紙することができる。
【０１１２】
しかも、この複合機Ｆでは、プリンタ本体１において、プリンタ本体１の画像形成部６の下方に、用紙４を給紙するための給紙カセット８が配置されているので、さらなる設置面積の省スペース化を図ることができる。
【０１１３】
また、この複合機Ｆでは、原稿４０は、後方から前方に向かって原稿給紙口７２に給紙され、反転され、スキャナ部２によって読み取られ、原稿排紙口７１から、前方から後方に向かって排紙される。そのため、原稿４０を、プリンタ本体１から突出させることなく読み取らすことができるので、プリンタ本体１の周りを通行する人が、原稿４０を引っ掛けて落下させることを防止することができる。
【０１１４】
また、この複合機Ｆでは、原稿排紙トレイ７４に設けられている凹部６６によって、原稿排紙トレイ７４上に排紙された原稿４０を、凹部６６から上下方向に把持して取り出すことができる。そのため、原稿４０を容易に取り出すことができ、操作性の向上を図ることができる。
【０１１５】
また、この複合機Ｆでは、現像カートリッジ２１を、ドラムカートリッジ２０と一体にして、操作パネル７３のアクセス方向と同方向から着脱させることができる。そのため、操作性の向上を図ることができる。
【０１１６】
また、この複合機Ｆでは、図２に示すように、原稿給紙トレイ７５と、原稿排紙トレイ７４と、用紙排紙トレイ５８と、給紙カセット８とが鉛直方向において、重なって配置されている。そのため、プリンタ本体１にスキャナ部２を備える構成でありながら、設置面積に対して投影しても、これらを大きくはみ出させることなく配置することができ、装置の小型化および設置面積の省スペース化が図られている。
【０１１７】
また、この複合機Ｆでは、プリンタ本体１において、用紙排紙トレイ５８の下方に、画像形成部６が配置され、その画像形成部６の下方に、給紙カセット８が配置されているので、プリンタ本体１における小型化および設置面積の省スペース化が図られている。
【０１１８】
さらに、この複合機Ｆでは、スキャナ部２における原稿４０の搬送方向と、画像形成部６における用紙４の搬送方向と、給紙カセット７の着脱方向と、ドラムカートリッジ２０の着脱方向とが、すべてほぼ同じ前後方向であるため、原稿４０、用紙４および給紙カセット８に対するアクセスを、すべて前後方向からすることができる。そのため、操作性の向上を図ることができる。
【０１１９】
また、この複合機Ｆでは、スキャナ部２は、プリンタ本体１における前側に配置され、そのスキャナ部２の後側に、原稿給紙トレイ７５が設けられ、その原稿給紙トレイ７５の下方に、原稿排紙トレイ７４が設けられているので、スキャナ部２においては、原稿給紙トレイ７５から給紙された原稿４０を読み取り、表裏反転させて原稿排紙トレイ７４へ排紙することができるので、原稿４０を、プリンタ本体１から突出させることなく読み取ることができる。そのため、プリンタ本体１の周りを通行する人が、原稿４０を引っ掛けて落下させることを防止することができる。
【０１２０】
さらに、この複合機Ｆでは、原稿排紙トレイ７４の下方に、用紙排紙トレイ５８が設けられているので、原稿４０および用紙４の両方に対するアクセスが容易であり、さらなる操作性の向上が図られている。
【０１２１】
また、上記の実施形態では、スキャナカバー部５３において、スキャナ部２の後側上部に原稿給紙口７２を、スキャナ部２の後側下部に原稿排紙口７１を設けたが、たとえば、図３および図４に示すように、スキャナカバー部５３において、スキャナ部２の後側上部に原稿給紙口７２を、スキャナ部２の前側下部に原稿排紙口７１を設けてもよい。なお、図３および図４において、図１および図２と同様の部材には、同じ参照符号を付し、以下の説明を除くその他の構成は、図１および図２に示す複合機Ｆと同様の構成として、その説明を省略する。
【０１２２】
すなわち、図３および図４において、この複合機Ｆは、プリンタ本体１は、図１および図２に示す複合機Ｆと同様の構成を有し、上側カバー５５の上面が原稿排紙トレイ７４として用いられず、原稿排紙トレイ７４が、別途スキャナカバー部５３に組み付けられている。
【０１２３】
スキャナカバー部５３は、上側カバー５５の前側に設けられており、前カバー部６７と、後カバー部６８と、側カバー部６９とを一体的に備えている。
【０１２４】
前カバー部６７は、上側カバー５５の前端部から、斜め後方上方に向かって湾曲状に延びるように形成されている。また、前カバー部６７における下部には、原稿４０を排紙するための原稿排紙口７１が幅方向に沿って開口されている。
【０１２５】
後カバー部６８は、上側カバー５５の前後方向途中から、一旦前方上方に向かって延び、その後、反転して後方上方に向かって前カバー部６７と平行状に延びる略Ｕ字状に形成されている。
【０１２６】
また、側カバー部６９は、前カバー部６７および後カバー部６８の幅方向両端部において、これらを連結するように、それぞれ設けられている。
【０１２７】
なお、このスキャナカバー部５３では、原稿排紙口７１の斜め後方上方において、前カバー部６７の上端部と、後カバー部６８の上端部と、側カバー部６９の上端部とで囲まれるスキャナカバー部５３の上端部の開口部が、原稿４０を供給するための原稿給紙口７２とされている。
【０１２８】
そして、このスキャナカバー部５３には、使用者が操作するための操作パネル７３と、スキャナ部２と、原稿給紙トレイ７５と、原稿排紙トレイ７４とが設けられている。
【０１２９】
操作パネル７３は、斜め後方上方に向かって延びる前カバー部６７に一体的に設けられている。この操作パネル７３は、この複合機Ｆ、すなわち、プリンタ本体１およびスキャナ部２を操作するための各種のボタンや液晶表示部などからなり、これらが整列状態で配置されている。
【０１３０】
また、スキャナ部２は、自動的に原稿４０を読み取るＡＤＦ（オート・ドキュメントフィーダ）装置として構成されており、スキャナカバー部５３内に配置され、原稿給紙ローラ７６と、給紙パッド７７と、原稿搬送パス７８と、第１搬送ローラ７９と、第２搬送ローラ８０と、ＣＣＤセンサ８１とを備えている。
【０１３１】
原稿給紙ローラ７６および給紙パッド７７は、互いに対向する状態で、スキャナカバー部５３内における上方後側に設けられている。また、原稿搬送パス７８は、その原稿給紙ローラ７６から原稿排紙口７１に至る後方上方から前方斜め下方に至る経路として構成されている。この原稿搬送パス７８において、その原稿搬送方向上流側端部に第１搬送ローラ７９が配置され、その原稿搬送方向下流側端部に第２搬送ローラ８０が配置され、その第１搬送ローラ７９と第２搬送ローラ８０との間にＣＣＤセンサ８１が配置されている。なお、第１搬送ローラ７９および第２搬送ローラ８０は、ともに、原稿４０を挟み込んで搬送する１対のローラから構成されている。
【０１３２】
また、原稿給紙トレイ７５は、給紙パッド７７の後側から、水平方向に対して後方斜め上方に向かって延び、原稿給紙口７２から突出して、さらに後方斜め上方に延びるように設けられている。
【０１３３】
また、原稿排紙トレイ７４は、前カバー部６７に被覆状に設けられている。この原稿排紙トレイ７４は、その下端部が、上側カバー５５の前端部に設けられるヒンジ８２を介して回動自在に設けられており、操作パネル７３および原稿排紙口７１と対向する部分が開口した第１開口部および第２開口部を有している。これら第１開口部および第２開口部は、操作パネル７３の各ボタンや原稿排紙口７１と個々に対応する孔として形成されている。なお、第１開口部は、操作パネル７３全体を大きく開口して、ワイヤーなどを網状に張設するようにして設けられてもよい。
【０１３４】
そして、この原稿排紙トレイ７４は、前カバー部６７を被覆する閉状態では、第１開口部から操作パネル７３が操作可能であり、また、原稿４０を第２開口部から排紙可能としている。また、ヒンジ８２を支点として前方に揺動させて開状態とすると、図４に示すように、原稿排紙トレイ７４は、斜め前方上方に延びる状態で保持され、これによって、原稿排紙口７１から排紙される原稿４０を受けてスタック可能としている。
【０１３５】
また、原稿排紙トレイ７４は、ヒンジ８２に対して係脱自在に装着されており、衝撃が与えられたときには、ヒンジ８２から容易に外れて、前カバー部６７から脱離するように設けられている。
【０１３６】
そして、スキャナ部２の後側に設けられる原稿給紙口７２から原稿４０を挿入して、原稿給紙トレイ７５に原稿４０を受けさせた状態で、操作パネル７３の操作により原稿読取の開始を指示する。すると、まず、原稿給紙ローラ７６と給紙パッド７７との間に挟まれた原稿給紙トレイ７５上の原稿４０が、１枚ずつ第１搬送ローラ７９に送られる。次に、第１搬送ローラ７９が原稿４０を斜め前方下方に搬送する。そして、搬送された原稿４０は、原稿搬送パス７８内において、ＣＣＤ８１と対向したときに、その原稿４０に形成されている画像が、ＣＣＤ８１によって読み取られる。その後、原稿４０は、第２搬送ローラ８０によって、スキャナ部２の前側に設けられる原稿排紙口７１から、後方から前方に向かって排紙され、原稿排紙トレイ７４が開状態にあるときには、その原稿排紙トレイ７４上にスタック可能に受けられ、また、原稿排紙トレイ７４が閉状態にあるときには、使用者が一枚毎に受け取らなければならないため、通常、原稿枚数が少ないときに、原稿排紙トレイ７４を閉状態で使用する。
【０１３７】
そして、このような図３および図４に示される複合機Ｆでは、原稿給紙トレイ７５に受けられている原稿４０は、後方から前方に向かって原稿給紙口７２に供給され、スキャナ部２によって読み取られ、そのまま、後方から前方に向かって原稿排紙口７１から排紙される。そのため、原稿４０を、ほぼストレートパスで読み取って排出することができ、操作パネル７３のアクセス方向と同方向から取り出すことができる。そのため、原稿４０の取り出しを容易とすることができ、操作性の向上を図ることができる。
【０１３８】
また、この複合機Ｆでは、スキャナ部２から原稿排紙口７１を介して排紙される原稿４０を受ける必要のないとき（たとえば、原稿４０が１枚だけであってスタックせずとも取り出せるとき）は、原稿排紙トレイ７４を閉状態としておけば、その原稿排紙トレイ７４がプリンタ本体１から突出せず、プリンタ本体１の周りを通行する人が、原稿排紙トレイ７４を引っ掛けて落下させることを防止することができる。しかも、原稿排紙トレイ７４は、閉状態であっても、操作パネル７３は操作可能であり、また、原稿４０を原稿排紙口７１から前方に排紙することができるので、原稿４０の詰まりを防止することができる。
【０１３９】
一方、スキャナ部２から原稿排紙口７１を介して排紙される原稿４０を受ける必要があるとき（たとえば、多数の原稿４０を読み取ってスタックする必要があるとき）には、原稿排紙トレイ７４を開状態とすれば、スキャナ部２から原稿排紙口７１を介して排紙された原稿４０を、原稿排紙トレイ７４によって受けてスタックすることができる。そのため、操作性の向上を図りつつ、スキャナ部２から排出された原稿４０をスタック可能に受けることができる。
【０１４０】
また、原稿排紙トレイ７４は、衝撃が与えられたときに、前カバー部６７から脱離するように設けられているので、原稿排出トレイ７４に衝撃が与えられたときには、その原稿排出トレイ７４が前カバー部６７から脱離するので、スキャナカバー部５３やプリンタ本体１の損傷を防止することができる。
【０１４１】
【発明の効果】
以上述べたように、請求項１に記載の発明によれば、装置の小型化および設置面積の省スペース化を図ることができ、操作性の向上を図ることができる。
【０１４２】
請求項２に記載の発明によれば、原稿供給トレイが画像形成装置本体の周りの通行を阻害することを防止でき、また、画像形成装置本体の周りを通行する人が原稿供給トレイを引っ掛けて落下させることを防止することができる。
【０１４３】
請求項３に記載の発明によれば、画像読取手段が邪魔になることなく排出された記録媒体を取り出すことができ、また、画像形成装置本体の周りを通行する人が、記録媒体を引っ掛けて落下させることを防止することができる。
【０１４４】
請求項４に記載の発明によれば、画像形成装置本体の設置場所に対する投影面内において、記録媒体を排出することができ、設置面積の省スペース化を図ることができる。
【０１４５】
請求項５に記載の発明によれば、設置面積の省スペース化を図ることができる。
【０１４６】
請求項６に記載の発明によれば、原稿を、画像形成装置本体から突出させることなく読み取らすことができるので、画像形成装置本体の周りを通行する人が、原稿を引っ掛けて落下させることを防止することができる。
【０１４７】
請求項７に記載の発明によれば、原稿を容易に取り出すことができ、操作性の向上を図ることができる。
【０１４８】
請求項８に記載の発明によれば、原稿の取り出しを容易とすることができ、操作性の向上を図ることができる。
【０１４９】
請求項９に記載の発明によれば、操作性の向上を図りつつ、画像読取手段から排出された原稿を受けることができる。
【０１５０】
請求項１０に記載の発明によれば、カバー部材や画像形成装置本体の損傷を防止することができる。
【０１５１】
請求項１１に記載の発明によれば、現像装置を、操作パネルのアクセス方向と同方向から着脱させることができ、操作性の向上を図ることができる。
【０１５２】
請求項１２に記載の発明によれば、装置の小型化および設置面積の省スペース化を図ることができる。
【０１５３】
請求項１３に記載の発明によれば、画像形成装置本体の小型化および設置面積の省スペース化を図ることができる。
【０１５４】
請求項１４に記載の発明によれば、原稿、記録媒体および記録媒体供給トレイに対するアクセスをほぼ同一方向からすることができ、操作性の向上を図ることができる。
【０１５５】
請求項１５に記載の発明によれば、原稿を、画像形成装置本体から突出させることなく読み取ることができるので、画像形成装置本体の周りを通行する人が、原稿を引っ掛けて落下させることを防止することができる。
【０１５６】
請求項１６に記載の発明によれば、原稿を、画像形成装置本体から突出させることなく読み取ることができるので、画像形成装置本体の周りを通行する人が、原稿を引っ掛けて落下させることを防止することができる。
【０１５７】
請求項１７に記載の発明によれば、原稿および記録媒体の両方に対するアクセスが容易となり、操作性の向上を図ることができる。
【図面の簡単な説明】
【図１】本発明の画像形成装置としての一実施形態である複合機（原稿を後側に排紙する態様）を示す斜視図である。
【図２】図１に示す複合機の要部断面図である。
【図３】本発明の画像形成装置としての他の実施形態である複合機（原稿を前側に排紙する態様、原稿排紙トレイ閉状態）を示す要部断面図である。
【図４】図３に示す複合機（原稿を前側に排紙する態様、原稿排紙トレイ開状態）を示す要部断面図である。
【図５】従来の画像形成装置を示す斜視図である。
【符号の説明】
１      プリンタ本体
２      スキャナ部
４      用紙
６      画像形成部
８      給紙カセット
２１    現像カートリッジ
３６    排紙ローラ
４０    原稿
５３    スキャナカバー部
５８    用紙排紙トレイ
６６    凹部
７１    原稿排紙口
７２    原稿給紙口
７３    操作パネル
７４    原稿排紙トレイ
７５    原稿給紙トレイ
Ｆ      複合機
【図１】
2004347720.tif 000003
【図２】
2004347720.tif 000004
【図３】
2004347720.tif 000005
【図４】
2004347720.tif 000006
【図５】
2004347720.tif 000007